(57)【要約】【課題】靴内に靴蒸れを防止する空気流を生じさせるようにした靴を、簡単な構造で容易にその組み立て製造が行えるようにし、生産性を向上させると共に、製造コストの低減を図る。【解決手段】可撓性を有する材料で構成された靴底２に、内側に空洞が形成されるように、表面が外方に膨らんだ膨出部４を一体的に設けた。そして、この膨出部の内側には、その表面を外方突出方向に付勢するばね５を設け、かつ、このばねが設けられた空洞部分４ａを、インナーソール部２ｂのつま先側に設けられた開口６で靴内に連通させた。このことで歩行動作に伴う前記空洞部分の拡縮により、所望のクッション性が得られると共に、内部の空気が開口から靴内に導かれ、また、履き口１ａから新鮮な外気が靴内に導入され、靴内に靴蒸れを防止する空気流が生じるようにした。【選択図】図１
2007068887.tif 000002
【特許請求の範囲】
【請求項１】
可撓性を有する材料からなる靴底の所定の位置に、内側に空洞が形成されるように、表面が外方に膨らんだ膨出部が一体的に形成され、該膨出部の内側には、表面を外方突出方向に付勢するばねが設けられ、かつ、このばねが設けられた空洞部分は、靴のつま先側に設けられた開口で靴内に連通してなり、歩行動作に伴う前記空洞部分の拡縮により、所望のクッション性が得られると共に、この空洞部分の内部の空気が開口から靴内に導かれ、また履き口から新鮮な外気が靴内に導入されることにより、靴内に靴蒸れを防止する空気流が生じるようになされたことを特徴とする靴。
【発明の詳細な説明】
【技術分野】
【０００１】
本発明は、靴内に空気流を生じさせ、靴蒸れが効果的に防止されるようにした靴に関する。
【背景技術】
【０００２】
靴内部が蒸れ難いようにした所謂通気性を有する靴は、従来から種々のものが提案されている。
【０００３】
従来、この種の靴としては、例えば靴底に、別に形成したポンプやバルブをインサートにより設け、歩行に伴うポンプ拡縮による送気により、靴内に強制的に空気を送り込むようにしたものがあった。（例えば、特許文献１参照）
また、このような別部材を用いることなく、靴底を構成したアウトソール部とミッドソール部を、それぞれ所定の形状に成形し、両者を一体的に接合することにより、その内部に、ポンプ機能を果たす所定形状の空間や、所定の方向にのみ送気を許容する弁状のバルブが形成されるようにしたものもあった。（例えば、特許文献２参照）
【特許文献１】特開２０００−７０００４号公報（第２−３頁、図２）
【特許文献２】特公平７−３６７６１号公報（第３−４頁、図１）
【発明の開示】
【発明が解決しようとする課題】
【０００４】
上述した従来の通気性を有する靴のうち、前者のポンプやバルブの別部材をインサート成形により靴底に一体的に埋め込むものは、製造工程において作業者の手作業が必要となるため、生産性が悪く、また、工程が複雑化するために均質な品質の通気性を有する靴が得難く、製造コストが高くなるという問題点があった。
【０００５】
また、後者の靴底に所定の機能を奏するものを一体的に設けるようにしたものは、上記のものに比し、生産性が良く、製造コストも比較的低廉であるが、靴底と同じ材質で弁やポンプなどの機能を奏する部品を製造するようにしているので、機能や耐久性の面で十分満足できるものが得難く、実用化が難しかった。また、ポンプやバルブのように機能する箇所は、アウトソール部にミッドソール部を接合することにより形成されるようになっているので、その組み付けに高い精度が要求され、しかも靴底に内装する構造上、十分な送気量を得ることが困難で、空気の移動量が少ないという問題点も有していた。
【０００６】
本発明は、上記従来の送気機能を有する靴が有していた問題点の解決を課題とする。
【課題を解決するための手段】
【０００７】
上記の問題点を解決するために、本発明の靴では、可撓性を有する材料からなる靴底の所定の位置に、内側に空洞が形成されるように、表面が外方に膨らんだ膨出部を一体的に形成し、この膨出部の内側には、表面を外方突出方向に付勢するばねを設け、かつ、このばねが設けられた空洞部分を、靴のつま先側に設けた開口から靴内に連通させ、このことで歩行動作に伴う前記空洞部分の拡縮により、所望のクッション性が得られるようにすると共に、この空洞部分の内部の空気を開口から靴内に導き、また復元時には、靴の履き口から新鮮な外気を靴内に導入し、このことで靴内に靴蒸れを防止する空気流を生じさせるようにしたことを特徴とする。
【発明の効果】
【０００８】
本発明の靴は、上述したように可撓材で構成された靴底に、ばねが内装された膨出部を設け、その内部をつま先側に設けられた開口により靴内に連通させているので、歩行動作に伴って膨出部の内部が拡縮し、その内部の空気が開口から靴内に吸／送気され、これに伴って履き口から新鮮な外気が靴内に導入されることにより、あたかも呼吸をするかのような空気の流れが靴内に生じ、空気の滞留による靴蒸れが効果的に防止されるものである。
【０００９】
また、膨出部には、ばねが内装されているので、歩行時に適度なクッション性が得られると共に、膨出部が確実に原状に復帰し、その送気機能が損なわれるおそれがない。よって、履き心地が良く、長期にわたって安定した送気機能が発揮されるという効果がある。
【発明を実施するための最良の形態】
【００１０】
以下、本発明を図示した実施の形態に基づき詳細に説明する。
【００１１】
図１は、本発明に係る靴の実施形態を示した斜視図、図２は、その側面図である。図示したように、この靴１は、一般の靴と同様に、ゴムや硬質ウレタンなどで形成された靴底２に、本皮や合成皮革などで形成された甲皮部３を一体的に接合して形成されている。
【００１２】
ここにおいて本発明の靴１では、可撓性を有する材料で構成された靴底２の前半部分（図２において左方側）即ち、土踏まずに対応した箇所の前方位置に、内側（図２において上側）に空洞が形成されるように、表面（図２において下側の面）が外方に膨らんだ膨出部４を一体的に設けている。この膨出部４は、歩行の妨げにならない箇所に、歩行の妨げにならない形状で設けられていれば良く、図示した例では、土踏まずの前側に相当する箇所に、歩行時の安定性と、吸送気量をできるだけ多くするために、動物の足裏における肉球を模した形態の三つの膨らみを設けている。（図４参照）
【００１３】
なお、この膨出部４の靴底面からの突出寸法は、特に制限されるものではないが、数ｍｍ程度に設定しておくことが、安定した歩行のためには、望ましい。
【００１４】
そして、上記膨出部４の内側（図２において上側）には、その表面を外方突出方向に付勢するばね５を設けている。ここにおいて、靴底２はアウトソール部２ａと、このアウトソール部２ａの上面に一体的に接合されるインナーソール部２ｂとで構成されており、靴底２が組み立てられた状態で、上記膨出部４の内側は空洞となり、この空洞部分４ａに、上記ばね５を内装するようにしている。また、このアウトソール部２ｂの上面には、多数の突起２１が設けられており、その周縁部分でインナーソール部が一体的に接合された際、両者間に上記空洞部分４ａと連通する間隙（図示せず）が形成されるようになっている。そして、このインナーソール部２ｂのつま先側には、開口６が設けられている。よって、この開口６は、前記間隙を介して上記空洞部分４ａに連通している。
【００１５】
本発明の靴１は、上記の構成を有している。
【００１６】
なお、図１と図２において、符号１ａは、靴１の履き口を示している。
【００１７】
次にその働きについて述べると、まず歩行の際、靴底２が地面に設置すると、靴底２の裏面に突出した膨出部４に荷重が集中し、その表面が靴底２の他の面と面一となるように凹む。この時、膨出部４の内部には、その表面を外方突出方向に付勢するばね５が内装されているので、このばね５の弾性力が膨出部４自身の弾性力と相俟って、接地時に足にかかる衝撃が緩和されることとなり、適度のクッション性が得られるようになっている。
【００１８】
そして、このように膨出部４が凹むことにより、その内部の空気が圧迫され、圧迫された空気は、インナーソール部２ｂとアウトソール部２ａとの間の間隙（図示せず）を通ってインナーソール部２ｂの先端側（図１において左側）の開口６から靴１内に噴出する。なお、このとき、膨出部４は、体重による最大荷重を受けると共に、歩行動作に伴う屈曲力も受け、内部の空気が一気に靴１内に噴出することとなり、歩行動作により履き口１ａが拡がる最適のタイミングで靴１内の蒸れた空気が外部に押し出されるものである。
【００１９】
そして、靴１が地面から離れると、膨出部４は、自身の弾性復元力と内装されたばね５の付勢力により、その表面が靴底面から外方に突出した原状に復帰する。この時、膨出部４の内部が負圧となり、靴１内の空気が開口６から上記間隙を通って吸い込まれることとなり、靴の履き口１ａから新鮮な外気が靴内に導入されることとなる。
【００２０】
このように本発明では、歩行動作に伴って、靴１のつま先側に設けられた開口６から靴１内に空気が出入りし、空気流を生じさせることにより、靴蒸れの原因となる空気の滞留が防止されるようになっている。
【図面の簡単な説明】
【００２１】
【図１】本発明に係る靴の実施形態を示した斜視図である。
【図２】図１に示した靴の側面図である。
【図３】靴底からインナーソール部を取り除いた状態の斜視図である。
【図４】靴底の底面図である。
【符号の説明】
【００２２】
１  靴
１ａ  履き口
２  靴底
２ａ  アウトソール部
２ｂ  インナーソール部
３  甲皮部
４  膨出部
４ａ  空洞部分
５  ばね
６  開口
【図１】
2007068887.tif 000003
【図２】
2007068887.tif 000004
【図３】
2007068887.tif 000005
【図４】
2007068887.tif 000006